(57)【特許請求の範囲】
【請求項１】
磁性体を内蔵するアタッチメントを装着する装着孔と、
前記装着孔に装着される前記アタッチメントを固定する磁性体からなる或いは磁性体が内蔵され、前記アタッチメントの装着方向と交差する方向に可動なフックと、
前記フックを前記装着孔の外側に吸着する吸着材と、を備え、
前記アタッチメントが前記装着孔に装着されていない状態では、前記吸着材により前記フックが前記装着孔の外側に吸着される一方、
前記アタッチメントが前記装着孔に装着された状態では、前記アタッチメントに内蔵された磁性体に前記フックが吸着されて、前記アタッチメントに形成された溝部に前記フックが係合することを特徴とするアタッチメント装着装置。
【請求項２】
前記吸着材は磁性体であることを特徴とする請求項１に記載のアタッチメント装着装置。
【請求項３】
前記吸着材の磁性体は、前記アタッチメントに内蔵された磁性体より前記フックを吸着する磁力が弱いことを特徴とする請求項２に記載のアタッチメント装着装置。
【請求項４】
前記吸着材はバネであることを特徴とする請求項１に記載のアタッチメント装着装置。
【請求項５】
前記バネは、前記アタッチメントに内蔵された磁性体より前記フックを吸着する吸着力が弱いことを特徴とする請求項４に記載のアタッチメント装着装置。
【請求項６】
前記アタッチメントを前記装着孔に挿入し、その挿入方向と交差する方向に前記アタッチメントを回転させると、前記溝部に前記フックが係合することを特徴とする請求項１に記載のアタッチメント装着装置。
【請求項７】
前記溝部に係合する前記フックの前記溝部の異なる溝形状に応じた移動状態に基づいて前記アタッチメントの種類を判別する判別手段と、
前記判別手段により判別された前記アタッチメントの種類に応じた制御を行う制御手段と、を備えることを特徴とする請求項６に記載のアタッチメント装着装置。
【請求項８】
当該アタッチメント装着装置は撮像手段を備えた筐体であって、
前記アタッチメントはコンバージョンレンズ或いはフィルタであることを特徴とする請求項１から７のいずれか一項に記載のアタッチメント装着装置。
【請求項９】
請求項１から８のいずれか一項に記載のアタッチメント装着装置と、
前記アタッチメント装着装置との装着面近傍に前記フックを吸着する磁性体を内蔵したアタッチメントと、からなるアタッチメント装着システム。
【請求項１０】
請求項１から８のいずれか一項に記載のアタッチメント装着装置の前記装着孔にアタッチメントを挿入し、前記アタッチメントに内蔵された磁性体に前記フックを吸着させることにより、前記アタッチメントに形成された溝部に前記フックを係合させて、前記アタッチメント装着装置に前記アタッチメントを装着状態に保持することを特徴とするアタッチメント装着方法。
【請求項１１】
前記アタッチメント装着装置に対する前記アタッチメントの装着状態において、
前記装着孔に対しアタッチメントを回転させることにより、前記溝部から前記フックが外れることを特徴とする請求項１０に記載のアタッチメント装着方法。
【発明の詳細な説明】
【技術分野】
【０００１】
本発明は、アタッチメントを装着する装置と、その装着装置に対応するアタッチメントを含む装着システムと、そのアタッチメントの装着方法に関する。
【背景技術】
【０００２】
例えばカメラ本体にレンズ鏡筒やコンバージョンレンズなどの光学部品を着脱可能な構造として、ネジ式マウント、バヨネット式マウント、スピゴット式等が一般的に用いられている。
一方、デジタルカメラ等の撮像装置におけるレンズの焦点距離を変更するためのアタッチメントとして、ワイドコンバージョンレンズやテレコンバージョンレンズが知られており、また、追加機能として魚眼レンズや３Ｄレンズがある。
これらのコンバージョンレンズを撮像装置に装着した場合、フォーカス制御や画像処理等を変更しなければならない場合がある。このため、コンバージョンレンズが装着されたか否かを検出する機構がしばしば撮像装置に備えられる。
コンバージョンレンズの装着を検出する方法には、機械的方法と電気的方法がある。
機械的方法には、撮像装置にコンバージョンレンズが装着された時に、撮像装置に備えられた検出爪が押下されるようにする方法がある。
また、電気的方法には、撮像画面の四隅における画素の輝度に基づいて、ケラレの発生を検出することで、テレコンの装着を自動的に検出する方法がある。
【０００３】
そして、カメラにおいて、交換レンズをマグネットにより装着する方式が特許文献１に提案されている。
また、携帯電話用カメラにおいて、交換レンズ、各種フィルタ等のアタッチメントをマグネットにより装着する方式が特許文献２に提案されている。
【先行技術文献】
【特許文献】
【０００４】
【特許文献１】特開平８−２２７０９６号公報
【特許文献２】特開２００７−２０６１３７号公報
【発明の概要】
【発明が解決しようとする課題】
【０００５】
しかし、従来の技術は、どれもカメラ本体から光学部（レンズ）を丸ごと取り替えることを前提にしており、光学部を外した状態での本体構造は外観的に考慮されていないものであった。
【０００６】
本発明の課題は、アタッチメントを外した状態での装置の外観性を良好にすることである。
【課題を解決するための手段】
【０００７】
以上の課題を解決するため、本発明は、磁性体を内蔵するアタッチメントを装着する装着孔と、前記装着孔に装着される前記アタッチメントを固定する磁性体からなる或いは磁性体が内蔵され、前記アタッチメントの装着方向と交差する方向に可動なフックと、前記フックを前記装着孔の外側に吸着する吸着材と、を備え、前記アタッチメントが前記装着孔に装着されていない状態では、前記吸着材により前記フックが前記装着孔の外側に吸着される一方、前記アタッチメントが前記装着孔に装着された状態では、前記アタッチメントに内蔵された磁性体に前記フックが吸着されて、前記アタッチメントに形成された溝部に前記フックが係合するアタッチメント装着装置を特徴とする。
【発明の効果】
【０００８】
本発明によれば、アタッチメントを外した状態での装置の外観性を良好にすることができる。
【図面の簡単な説明】
【０００９】
【図１】本発明を適用したアタッチメント装着装置の一実施形態の構成を示す斜視図である。
【図２】図１のアタッチメント装着装置に対するアタッチメントの装着を示す図である。
【図３】アタッチメント装着装置にアタッチメントを装着した状態を示すもので、平面図（ａ）及び側面図（ｂ）（ｃ）である。
【図４】アタッチメント装着装置に備えるアタッチメント脱着部品を示すもので、フロントケースにより内蔵部品が隠れた状態の平面図（ａ）、そのフロントケースを透かして内蔵部品が見える状態の拡大図（ｂ）及び斜視図（ｃ）である。
【図５】アタッチメントの外観構造を示すもので、斜視図（ａ）、側面図（ｂ）及び底面図（ｃ）である。
【図６】図５の溝部及び磁石の部分を拡大して示すもので、底面図（ａ）及び断面図（ｂ）である。
【図７】アタッチメントをアタッチメント装着装置に実装する際のロック方法を説明するもので、回転方向を示す要部平面図（ａ）、回転過程を示す図（ｂ）、ロック状態の図（ｃ）である。
【図８】アタッチメント装着装置のフック及び検出スイッチの関係を示す拡大斜視図である。
【図９】アタッチメントの溝部の種類の相違を示す要部平面図で、種類１を示す図（ａ）、種類２を示す図（ｂ）、種類３を示す図（ｃ）である。
【発明を実施するための形態】
【００１０】
以下、図を参照して本発明を実施するための形態を詳細に説明する。
（実施形態）
図１はアタッチメント装着装置としてのカメラ１を示すもので、カメラ１のフロントケース１１には、図示のように、レンズ１２の周囲にアタッチメントを装着するための装着孔１３が形成されている。
【００１１】
図２はカメラ１に対するアタッチメントとしてのコンバージョンレンズ２の装着を示すもので、矢印で装着方向を示している。
【００１２】
ここで、カメラ１は、コンバージョンレンズ無しでもカメラとしての機能を有しており、コンバージョンレンズ２を着けることにより、魚眼や３Ｄ等といった別の光学的機能を持つことを特徴とする。
よって、カメラ１は、コンバージョンレンズ２が着いていないときでも製品として成り立つ外観の仕上げ及び形状になっている。
【００１３】
図３はカメラ１にコンバージョンレンズ２を装着した状態を示すもので、図３（ａ）は平面図、図３（ｂ）及び（ｃ）は側面図である。
【００１４】
図示のように、コンバージョンレンズ２は、ケース２１でレンズ２２の周囲が覆われている。
【００１５】
図４はカメラ１に備えるアタッチメント脱着部品を示したもので、図４（ａ）はフロントケース１１により内蔵部品が隠れた状態を示し、図４（ｂ）及び（ｃ）はフロントケース１１を透かして内蔵部品が見える状態を示す。
【００１６】
図示のように、カメラ１の内部には、装着孔１３の周囲に、一端を支点として回動するフック１４が実装されている。このフック１４は、その材質が磁石に吸着する磁性体（鉄やＳＵＳ等）で造られている。
さらに、カメラ１の内部には、フック１４の外側に位置する吸着材としての磁性体である磁石１５が実装されている。
これにより、フック１４は、一端の軸部１４１を支点として、通常、外側の磁石１５に吸着して引っ張られており、図４（ａ）に示すように、外観からは見えない状態になっている。
図示例では、フック１４、磁石１５ともに対を成すよう３個ずつ実装されている。
【００１７】
図５はコンバージョンレンズ２の外観構造を示したもので、図５（ａ）は斜視図、図５（ｂ）は側面図、図５（ｃ）は底面図である。
【００１８】
図示のように、コンバージョンレンズ２のケース２１のレンズ２２の周囲の基端部は、カメラ１の装着孔１３に挿入される挿入部２３となっている。この挿入部２３の外周には、円周方向に等間隔で３箇所に溝部２４が形成されており、その溝部２４と内周側に対になるように磁性体である磁石２５が実装されている。
【００１９】
以上の溝部２４及び磁石２５の部分を図６に拡大して示し、図６（ａ）は底面図、図６（ｂ）は断面図である。
【００２０】
図７はコンバージョンレンズ２をカメラ１に実装する際のロック方法を説明する図である。
【００２１】
ここで、カメラ１の磁石１５とコンバージョンレンズ２の磁石２５の吸着力の関係は、磁石１５＜磁石２５になっている。
なお、吸着力を磁石の磁力だけでなく、フック１４との距離で調整してもよい。
【００２２】
従って、図７（ａ）に矢印で示すように、カメラ１の装着孔１３にコンバージョンレンズ２の挿入部２３を挿入し突き当てて反時計周りに回転させると、図７（ｂ）に矢印で示すように、カメラ１のフック１４がコンバージョンレンズ２の磁石２５に引き付けられ、図７（ｃ）に示すように、コンバージョンレンズ２のケース２１の溝部２４に係合するため、ロックされる。
【００２３】
コンバージョンレンズ２を外す際には、同じく反時計周りに回転すると、溝部２４からフック１４が外れて、図７（ａ）の状態に戻るため、ロックが解除される。
【００２４】
次に、図８に示すように、カメラ１に実装されている３個のフック１４のうち１つには、軸部１４１と反対側端部に突起部１４２が形成されている。
この突起部１４２は、フック１４の近傍に配置された検出スイッチ１６を押し得る位置にある。
なお、検出スイッチ１６は多段検出可能である。
【００２５】
ここで、コンバージョンレンズ２のケース２１の溝部２４において、図９（ａ）（ｂ）及び（ｃ）に示すように、コンバージョンレンズ２の種類１・２・３によって溝部２４ａ・２４ｂ・２４ｃの深さが異なっている。
なお、コンバージョンレンズ２の種類として例えば、種類１：魚眼レンズ、種類２：３Ｄレンズ、種類３：マクロレンズが挙げられる。
【００２６】
このように、コンバージョンレンズ２の種類１・２・３によって溝部２４ａ・２４ｂ・２４ｃの深さが異なるため、フック１４の軸部１４１を支点とする回転量が変わり、突起部１４２による検出スイッチ１６の押される角度も変化し、それに基づいてコンバージョンレンズ２の種類１・２・３を特定できる。
【００２７】
また、カメラ１の内部には、フック１４が係合する３種類の溝部２４ａ・２４ｂ・２４ｃの異なる溝形状に応じたフック１４の移動状態を検出する検出スイッチ１６の検出信号に基づいてコンバージョンレンズ２の種類１・２・３を判別する判別手段と、その判別手段により判別されたコンバージョンレンズ２の種類１・２・３に応じた制御を行う制御手段と、が備えられている。
【００２８】
従って、コンバージョンレンズ２の装着時にカメラ１のフック１４の回転量が変化するため、検出スイッチ１６の押される角度も変わり、実装されたコンバージョンレンズ２の種類１・２・３を特定することができる。
【００２９】
以上のとおり、カメラ１とコンバージョンレンズ２の脱着が簡単で、且つ高い精度で結合可能なカメラ１とコンバージョンレンズ２の結合構造を提供できる。
しかも、コンバージョンレンズ２を着けていない時でも、カメラ１には外観的ダメージがないため、カメラ１を単体で使用する際にも製品価値を損なわない。
【００３０】
さらに、コンバージョンレンズ２をカメラ１に結合する構造自体の動きでコンバージョンレンズ２の種類１・２・３を判別するため、部品点数が少なく、コンバージョンレンズ２の未実装状態でのカメラ１の外観にダメージを与えることがない。
【００３１】
（変形例）
また、実施形態では、フック１４を磁石１５で吸着したが、フック１４は、磁石１５に代えて、バネで吸着してもよい。
その場合、バネは、コンバージョンレンズ２に内蔵された磁石２５よりフック１４を吸着する吸着力を弱く設定する。
このように、吸着材をバネとすれば、カメラ１に内蔵された電子部品に対する磁力による悪影響を与えることがなく、コストも安く抑えられる。
【００３２】
なお、実施形態では、磁性体からなるフック１４としたが、フック１４は磁性体が内蔵されたものでもよい。
また、磁石と磁性体の関係は、実施形態と逆にしてもよい。
さらに、コンバージョンレンズ２の種類を判別する必要がないのであれば、挿入後回転させなくてもよい。
【００３３】
（他の変形例）
以上の実施形態においては、カメラとしたが、本発明はこれに限定されるものではなく、カメラを備える携帯電話など他の電子機器であってもよい。
さらに、実施形態では、コンバージョンレンズとしたが、フィルタ等、他のアタッチメントであってもよい。
【００３４】
また、実施形態では、アタッチメント装着装置にフック及び吸着材を設けて、アタッチメントに溝部を形成したが、逆に、アタッチメントにフック及び吸着材を設けて、アタッチメント装着装置に溝部を形成してもよい。
さらに、フック、吸着材、溝部の形状等も任意であり、その他、具体的な細部構造等についても適宜に変更可能であることは勿論である。
【００３５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
磁性体を内蔵するアタッチメントを装着する装着孔と、
前記装着孔に装着される前記アタッチメントを固定する磁性体からなる或いは磁性体が内蔵され、前記アタッチメントの装着方向と交差する方向に可動なフックと、
前記フックを前記装着孔の外側に吸着する吸着材と、を備え、
前記アタッチメントが前記装着孔に装着されていない状態では、前記吸着材により前記フックが前記装着孔の外側に吸着される一方、
前記アタッチメントが前記装着孔に装着された状態では、前記アタッチメントに内蔵された磁性体に前記フックが吸着されて、前記アタッチメントに形成された溝部に前記フックが係合することを特徴とするアタッチメント装着装置。
＜請求項２＞
前記吸着材は磁性体であることを特徴とする請求項１に記載のアタッチメント装着装置。
＜請求項３＞
前記吸着材の磁性体は、前記アタッチメントに内蔵された磁性体より前記フックを吸着する磁力が弱いことを特徴とする請求項２に記載のアタッチメント装着装置。
＜請求項４＞
前記吸着材はバネであることを特徴とする請求項１に記載のアタッチメント装着装置。
＜請求項５＞
前記バネは、前記アタッチメントに内蔵された磁性体より前記フックを吸着する吸着力が弱いことを特徴とする請求項４に記載のアタッチメント装着装置。
＜請求項６＞
前記アタッチメントを前記装着孔に挿入し、その挿入方向と交差する方向に前記アタッチメントを回転させると、前記溝部に前記フックが係合することを特徴とする請求項１に記載のアタッチメント装着装置。
＜請求項７＞
前記溝部に係合する前記フックの前記溝部の異なる溝形状に応じた移動状態に基づいて前記アタッチメントの種類を判別する判別手段と、
前記判別手段により判別された前記アタッチメントの種類に応じた制御を行う制御手段と、を備えることを特徴とする請求項６に記載のアタッチメント装着装置。
＜請求項８＞
当該アタッチメント装着装置は撮像手段を備えた筐体であって、
前記アタッチメントはコンバージョンレンズ或いはフィルタであることを特徴とする請求項１から７のいずれか一項に記載のアタッチメント装着装置。
＜請求項９＞
請求項１から８のいずれか一項に記載のアタッチメント装着装置と、
前記アタッチメント装着装置との装着面近傍に前記フックを吸着する磁性体を内蔵したアタッチメントと、からなるアタッチメント装着システム。
＜請求項１０＞
請求項１から８のいずれか一項に記載のアタッチメント装着装置の前記装着孔にアタッチメントを挿入し、前記アタッチメントに内蔵された磁性体に前記フックを吸着させることにより、前記アタッチメントに形成された溝部に前記フックを係合させて、前記アタッチメント装着装置に前記アタッチメントを装着状態に保持することを特徴とするアタッチメント装着方法。
＜請求項１１＞
前記アタッチメント装着装置に対する前記アタッチメントの装着状態において、
前記装着孔に対しアタッチメントを回転させることにより、前記溝部から前記フックが外れることを特徴とする請求項１０に記載のアタッチメント装着方法。
【符号の説明】
【００３６】
１  カメラ
１３  装着孔
１４  フック
１４１  軸部
１４２  突起部
１５  磁石
１６  検出スイッチ
２  コンバージョンレンズ
２３  挿入部
２４  溝部
２５  磁石
【図１】
0005720469.tif 000002
【図２】
0005720469.tif 000003
【図３】
0005720469.tif 000004
【図４】
0005720469.tif 000005
【図５】
0005720469.tif 000006
【図６】
0005720469.tif 000007
【図７】
0005720469.tif 000008
【図８】
0005720469.tif 000009
【図９】
0005720469.tif 000010